(57)【特許請求の範囲】
【請求項１】
ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の弾性バー保持テープであって、カーテン外側縁側の袋形成部分と該袋形成部分からカーテン内方に向けて突出して前記カーテン本体に取着される取着部分とからなるテープ基材の該袋形成部分の表面に保持テープ部が、該テープ基材の長さ方向に延長するように重ね状態で配置され、該保持テープ部の、カーテン外側縁側の外縁部が前記テープ基材と一体化されると共に該保持テープ部がその長さ方向に３〜１５ｍｍの間隔で前記テープ基材に一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とする引き上げ式カーテン用の弾性バー保持テープ。
【請求項２】
ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の弾性バー保持テープであって、織物製であり、カーテン外側縁側の袋形成部分と該袋形成部分からカーテン内方に向けて突出して前記カーテン本体に取着される取着部分とからなるテープ基材の該袋形成部分の表面に保持テープ部が、該テープ基材の長さ方向に延長するように重ね状態で配置され、該保持テープ部の、カーテン外側縁側の外縁部が前記テープ基材と製織により一体化されると共に該保持テープ部がその長さ方向に３〜１５ｍｍの間隔で前記テープ基材に製織により一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とする引き上げ式カーテン用の弾性バー保持テープ。
【請求項３】
ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の弾性バー保持テープであって、編物製であり、カーテン外側縁側の袋形成部分と該袋形成部分からカーテン内方に向けて突出して前記カーテン本体に取着される取着部分とからなるテープ基材の該袋形成部分の表面に保持テープ部が、該テープ基材の長さ方向に延長するように重ね状態で配置され、該保持テープ部の、カーテン外側縁側の外縁部が前記テープ基材と編成により一体化されると共に該保持テープ部がその長さ方向に３〜１５ｍｍの間隔で前記テープ基材に編成により一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とする引き上げ式カーテン用の弾性バー保持テープ。
【請求項４】
ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の弾性バー保持テープであって、織物製テープ、編物製テープ、樹脂製テープ等の可撓性素材からなるテープを用いたテープ基材と保持テープ部とを用いて構成されており、該テープ基材は、カーテン外側縁側の袋形成部分と該袋形成部分からカーテン内方に向けて突出して前記カーテン本体に取着される取着部分とからなり、該袋形成部分の表面に前記保持テープ部が、該テープ基材の長さ方向に延長するように重ね状態で配置され、該保持テープ部の、カーテン外側縁側の外縁部が前記テープ基材と溶着や縫着等の一体化手段で一体化されると共に該保持テープ部がその長さ方向に３〜１５ｍｍの間隔で前記テープ基材に溶着や縫着等の一体化手段で一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とする引き上げ式カーテン用の弾性バー保持テープ。
【請求項５】
前記収容袋部が、該収容袋部への前記弾性バーの側端部分の収容を容易とするために、少なくとも開口端が拡大されていることを特徴とする請求項１〜４の何れかに記載の引き上げ式カーテン用の弾性バー保持テープ。
【発明の詳細な説明】
【技術分野】
【０００１】
本発明は、ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の弾性バー保持テープに関するものである。
【背景技術】
【０００２】
近年、ひだ状折り返し部が積み重なる状態に引き上げ可能となされた引き上げ式カーテン装置が好評を博している。この種のカーテン装置の一般的なものとしては、例えば図３２に示すように、窓開口部の上縁に沿って付設された支持バーａの室内側の面部に、面状ファスナｂ，ｃを介してカーテンｄの上縁部分ｅを固定し、該カーテンｄを吊下状態にすると共に、該支持バーａの一端にロック具ｆを固定してなるものであった。そして、該ロック具ｆの固定側から支持バーの反対側に向けて所要間隔でコード案内部ｇを設けると共に、該コード案内部ｇの数に相当する本数の昇降コードｈの束ｊを前記ロック具ｆに通し、その束ｊを構成する昇降コードｈを、前記コード案内部ｇ毎に垂らし、該垂らした昇降コードｈを、カーテンｄの後面において上下方向に所要間隔で設けたコード挿通部ｋに順次挿通せしめ、該昇降コードｈの下端をカーテンの下端側ｍに固定状態としてなるものであった。
【０００３】
そして、前記ロック具ｆに挿通した昇降コードｈの束ｊを下方に引くことにより、前記カーテンｄを、図３３〜３４に示すように、ひだ状折り返し部ｎが積み重なる状態に引き上げ可能となされており、所要の引き上げ状態で、昇降コードｈが前記ロック具ｆの係止作用によってロックされ、カーテンｄがその引き上げ状態で保持されるように構成されていた。
【０００４】
又、前記カーテンｄの下端部分ｐにウエイトをもたせるために、該下端部分に設けた収容部ｐにその略全幅に亘ってウエイトバーｑが納められ、該ウエイトバーｑがカーテン下部のウエイトとされ、且つ該ウエイトバーｑによってカーテン下部が水平方向で張った状態とされていた。しかしながら、該ウエイトバーｑよりも上側に位置するカーテン部分にはカーテンを幅方向で張った状態とする手段が何ら設けられていなかったため、図３３〜３４に示すように、ひだ状折り返し部ｎが積み重なる状態に引き上げられたとき、カーテン幅方向で隣り合うコード挿通部ｋ，ｋ間のカーテン部分ｕに弛みｓやしわｔが発生し、又これらの弛みやしわが原因して、コード挿通部ｋ，ｋ間のカーテン部分ｕがだれた状態になる等、ひだ状折り返し部ｎの直線性を確保できない問題があった。
【０００５】
そこで、カーテン引き上げ状態におけるひだ状折り返し部の直線性を確保せんとして、特開平９−１５４７１１号公報が開示する引き上げ式カーテン装置が提案されている。該引き上げ式カーテン装置ｖは、図３５に示すように、カーテン幅方向に延長する棒状体ｗを収容した袋状体ｘを多段に平行状態でカーテンｄの幅方向に縫着固定してカーテンを張った状態に保持することが行われていた。そして該袋状体ｘの表面部にはコード挿通部ｋが形成されており、該コード挿通部ｋに昇降コードｈが挿通されていた。
【０００６】
しかしながら、かかる従来の引き上げ式カーテン装置ｖによるときは、前記袋状体ｘをカーテンに縫着したとき、カーテンの幅方向に延長する縫い目列ｙが多段に平行状態に生ずることから、この縫い目列がカーテンの見栄えを損なう問題があった。又、袋状体ｘが多少でも斜め状態でカーテンに縫着されると、該袋状体ｘの長さ方向に所要間隔で配置されている前記コード挿通部ｋが斜め配置になってしまう。その結果、カーテンを引き上げたときにひだ状折り返し部の形態が歪になってしまい、カーテンの外観が損なわれる問題があった。又、カーテンｄに一旦縫着された袋状体ｘは、その位置が固定されてしまうため、該袋状体ｘの上下位置を変えて引き上げ状態のカーテンデザインを変更しようとしても、かかる要求に応じられない問題があった。加えて、このように予め決められた配置でしか棒状体を配設できなかった従来の引き上げ式カーテン装置ｖにあっては、カーテンを引き上げた際にひだ状折り返し部の例えば中間部分にしわが発生しても、そのしわを解消する手段がなかった。
【０００７】
又、カーテンｄをその幅方向で張った状態とする他の手段としては、特開２００５−３３４号公報が開示する引き上げ式カーテン装置が提案されている。この引き上げ式カーテン装置ａ１は、図３６に示すように、嵌合部材ｂ１をカーテン幅方向で複数取り付けると共に、該嵌合部材ｂ１を介して棒状物ｃ１を着脱自在に装着し、且つ該嵌合部材ｂ１のカーテン中央方向への摺動を阻止するストッパ部材ｄ１を、両外端の嵌合部材ｂ１１，ｂ１１と係合するように棒状物ｃ１に取り付ける構成を採用していた。これにより、カーテン幅方向で見た両外端の嵌合部材ｂ１１，ｂ１１間に左右方向にテンションを付与し、この部分ｅ１で、カーテンをその幅方向で張った状態とし、ひだ状折り返し部に弛みやしわが生ずるのを防止して該ひだ状折り返し部の直線性を確保せんとするのであった。
【０００８】
しかしながら、かかる引き上げ式カーテン装置ａ１によるときは、カーテン幅方向の両端の嵌合部材ｂ１１，ｂ１１が、カーテン外側縁ｆ１，ｆ１の内方に位置するように設定されるため、該外端の嵌合部材ｂ１１，ｂ１１の外側に存するカーテン部分ｇ１は、前記棒状物ｃ１によって張った状態とはなっていない。そのため、カーテンｄを引き上げたときに、両端の嵌合部材ｂ１１，ｂ１１の外側に存するカーテン部分ｇ１，ｇ１に、例えば図３７に示すような弛みｈ１やしわｊ１が生じてしまい、カーテン幅方向の全体に亘ってひだ状折り返し部ｋ１の直線性が確保されず、引き上げ状態にあるカーテンの見栄えを損なう問題があったのである。又、かかる引き上げ式カーテンによるときは、カーテンの上げ下げ操作が繰り返されることによって、その際の振動により前記ストッパ部材ｄ１が図３６に矢印で示すようにカーテン中央方向に移動する場合が生ずる。このようになると、両端の嵌合部材ｂ１１，ｂ１１間におけるカーテンの張った状態が解除されるために、カーテンの引き上げによって形成されたひだ状折り返し部ｋ１に弛みやしわが発生する問題があった。
【０００９】
又、かかる引き上げ式カーテン装置ａ１によるときも、カーテンに取り付けられた嵌合部材はその上下方向の位置変更ができないために、該嵌合部材ｂ１の上下位置を変えて引き上げ状態のカーテンデザインを変更しようとしても、かかる要求に応じられない問題があった。加えて、このように予め決められた配置でしか棒状体を配設できなかった従来の引き上げ式カーテン装置にあっては、カーテンを引き上げた際にひだ状折り返し部の例えば中間部分にしわが発生しても、そのしわを解消する手段がなかった。
【００１０】
【特許文献１】特開平９−１５４７１１号公報（３−５頁、図２、図３、図１１）
【特許文献２】特開２００５−３３４号公報（３−４頁、図１）
【発明の開示】
【発明が解決しようとする課題】
【００１１】
本発明は、主として前記従来の問題点に鑑みて開発されたものであり、引き上げられたカーテンの意図した部分には弛みやしわが発生するのを防止して、引き上げられたカーテンの見栄え向上を図ることができると共に、引き上げ式カーテン装置を構成した後においても、後から生ずるようになった弛みやしわの解消を容易に行うことができ、しかも、弛みやしわを、引き上げられたカーテンのデザイン要素の一つとする場合は、このような弛みやしわの発生部分を後から変更容易とする引き上げ式カーテン用の弾性バー保持テープの提供を課題とするものである。
【課題を解決するための手段】
【００１２】
前記課題を解決するため、本発明は以下の手段を採用する。
即ち本発明に係る引き上げ式カーテン用の弾性バー保持テープ（以下、弾性バー保持テープという）は、ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の弾性バー保持テープである。そして、カーテン外側縁側の袋形成部分と該袋形成部分からカーテン内方に向けて突出して前記カーテン本体に取着される取着部分とからなるテープ基材の該袋形成部分の表面に保持テープ部が、該テープ基材の長さ方向に延長するように重ね状態で配置され、該保持テープ部の、カーテン外側縁側の外縁部が前記テープ基材と一体化されると共に該保持テープ部がその長さ方向に３〜１５ｍｍの間隔で前記テープ基材に一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とするものである。
【００１３】
本発明に係る弾性バー保持テープのより具体的な態様は、ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の弾性バー保持テープであって、織物製である。そして、カーテン外側縁側の袋形成部分と該袋形成部分からカーテン内方に向けて突出して前記カーテン本体に取着される取着部分とからなるテープ基材の該袋形成部分の表面に保持テープ部が、該テープ基材の長さ方向に延長するように重ね状態で配置され、該保持テープ部の、カーテン外側縁側の外縁部が前記テープ基材と製織により一体化されると共に該保持テープ部がその長さ方向に３〜１５ｍｍの間隔で前記テープ基材に製織により一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とするものである。
【００１４】
本発明に係る弾性バー保持テープのより具体的な他の態様は、ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の保持テープであって、編物製である。そして、カーテン外側縁側の袋形成部分と該袋形成部分からカーテン内方に向けて突出して前記カーテン本体に取着される取着部分とからなるテープ基材の該袋形成部分の表面に保持テープ部が、該テープ基材の長さ方向に延長するように重ね状態で配置され、該保持テープ部の、カーテン外側縁側の外縁部が前記テープ基材と編成により一体化されると共に該保持テープ部がその長さ方向に３〜１５ｍｍの間隔で前記テープ基材に編成により一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とする引き上げ式カーテン用の弾性バー保持テープ。
【００１５】
本発明に係る弾性バー保持テープのより具体的なその他の態様は、ひだ状折り返し部が積み重なる状態で引き上げ可能となされた引き上げ式カーテンを構成するカーテン本体の略全幅に亘って水平状態で配設される弾性バーの側端部分を保持するために、該カーテン本体の外側縁部分に上下方向で取着される引き上げ式カーテン用の保持テープであって、織物製テープ、編物製テープ、樹脂製テープ等の可撓性素材からなるテープを用いたテープ基材と保持テープ部とを用いて構成されている。そして該テープ基材は、カーテン外側縁側の袋形成部分と該袋形成部分からカーテン内方に向けて突出して前記カーテン本体に取着される取着部分とからなり、該袋形成部分の表面に前記保持テープ部が、該テープ基材の長さ方向に延長するように重ね状態で配置され、該保持テープ部の、カーテン外側縁側の外縁部が前記テープ基材と溶着や縫着等の一体化手段で一体化されると共に該保持テープ部がその長さ方向に３〜１５ｍｍの間隔で前記テープ基材に溶着や縫着等の一体化手段で一体化されて仕切り縁が形成されることにより、隣り合う仕切り縁と前記外縁部との間で、カーテン内方に開口し且つカーテン外側縁側が閉じて袋底部とされた収容袋部が設けられ、該収容袋部に前記側端部分を収容可能となされていることを特徴とするものである。
【００１６】
前記各弾性バー保持テープにおいて、前記収容袋部を、該収容袋部への前記弾性バーの側端部分の収容を容易とするために、少なくとも開口端が拡大したものとして構成するのがよい。
【発明の効果】
【００１７】
本発明は以下の如き優れた効果を奏する。
(1) 本発明に係る引き上げ式カーテン用の弾性バー保持テープは、収容袋部がテープ基材の長さ方向に連続して設けられている。従って本発明によるときは、これをカーテン本体の左右の外側縁部分に上下方向で取着することにより、カーテン本体の前面に弛みやしわを発生させたくない部分を選択して弾性バーを配設できることになる。又、弾性バーの配設状態を後から変更することも容易である。
【００１８】
(2) 本発明８係る弾性バー保持テープは、前記取着部分においてのみカーテン本体に取着されることにより、前記収容袋部がカーテン本体から遊離状態になり得る。それ故、収容袋部を構成するテープ基材がその裏面側に膨らんだ状態になっても、この膨らんだ部分がカーテン本体の前面を目立つ状態に膨らみ変形させることがなく、従って、カーテン本体の前面をより自然な外観に仕上げることができる。
又、弾性バーの側端部分を収容袋部に収容させる際、前記取着部分が該弾性バーの先端の案内として機能するため、該弾性バーを収容袋部に引っ掛かりなく収容させやすい。
【００１９】
(3) 前記収容袋部の少なくとも開口端を拡大形成する場合は、該収容袋部内への弾性バーの側端部分の挿入を容易に行うことができる。
【実施例１】
【００２０】
以下、本発明の実施例を図面に基づいて説明する。
図１〜４は、図１０に示す引き上げ式カーテン１を用いて構成された引き上げ式カーテン装置２を示すものであり、昇降コード３の昇降操作によって該引き上げ式カーテン１を、ひだ状折り返し部５が積み重なる状態に引き上げ可能となされている。そして該引き上げ式カーテン１は、図５に示す引き上げ対応型カーテン６の後面７に、上下方向に所要間隔を置いて且つカーテンの略全幅に亘って水平状態で、弾性バー９を着脱可能に配設して構成されている。
【００２１】
前記引き上げ対応型カーテン６は図５に示すように、カーテン本体１０の後面１１の幅方向の中間部分（本実施例においては幅方向の両側部分１２ａ，１２ａと中央部分１２ｂ）１２において、前記弾性バー９を着脱可能に保持する中間保持部１３，１３，１３が設けられると共に、該カーテン本体１０の左右の外側縁部分１５，１５には、該弾性バー９の左右の側端部分１６，１６を保持する左右の端部保持部１７，１７が設けられている。  
【００２２】
本実施例においては、前記中間保持部１３，１３，１３は共に、図６に示すような、前記カーテン本体１０の後面１１の前記中間部分１２に上下方向で取着される中間の保持テープ１９を以って構成されており、又前記左右の端部保持部１７，１７は共に、図７に示すような、前記カーテン本体１０の後面１１の左右の外側縁部分１５，１５に上下方向で取着される端部の保持テープ２０を以って構成されている。該端部の保持テープ２０は、本発明に係る弾性バー保持テープＡである。
【００２３】
前記カーテン本体１０は、図５に示すように、その下端部分が上側に折り曲げられると共に、該折り曲げ片２１の左右の側部分２２，２２及び上の縁部分２３が縫製されることによりウエイトバー２５の収容部２６が設けられ、該収容部２６の略全長に亘って該ウエイトバー２５が納められている。又、該カーテン本体１０の後面１１の上縁部分２８にその幅方向に連続して面状ファスナ２７が設けられている。そして、該カーテン本体１０の後面１１の、前記収容部２６の上縁２９と前記面状ファスナ２７の下縁３０との間を連結するように、前記中間の保持テープ１９と前記端部の保持テープ（弾性バー保持テープＡ）２０が上下方向で取着される。
【００２４】
前記弾性バー９は、その弾性突っ張り作用によって前記カーテン本体１０を水平方向で張った状態（テンションが付与された状態）となし得る弾性突っ張り作用を発揮できるものであれば、グラスファイバー製バーやステンレス製バー等の金属製バー、アクリル樹脂製バー等からなる樹脂製バー等（中実や中空のバー）を採用できるが、弾性復元力に優れると共に変形自由度の高いグラスファイバー製バーが特に好ましい。そして、該弾性バー９の太さや弾力の程度は、カーテン本体１０を構成する生地の厚さや剛性の程度を考慮して、該カーテン本体１０を水平方向で張った状態となし得るように設定される。そして、該弾性バー９の太さに応じて、後述の挿通部３５のテープ長さ方向の幅や、後述の収容袋部５５のテープ長さ方向の幅が設定される。
【００２５】
前記中間の保持テープ１９は、本実施例においては織物製であり、図６に示すように、テープ基材３１の表面３４の左右両側に、保持テープ部３２が該テープ基材３１の長さ方向に延長するように重ね状態で配置され、該保持テープ部３２がその長さ方向に３〜１５ｍｍの間隔で前記テープ基材３１に製織により一体化されることによって仕切り縁３３が形成され、隣り合う仕切り縁３３，３３間が、前記弾性バー９を挿通させる挿通部３５とされている。そして、該左右の挿通部３５，３５は同高さに位置設定され、又、該挿通部３５，３５の外端３６，３６は前記テープ基材３１の側縁３７，３７の稍内方に位置され、該テープ基材３１の両端部分は、左右の挿通部３５，３５の外端３６，３６から突出した案内片部３９，３９となっている。本実施例においては、前記弾性バー９を前記挿通部３５に挿通容易とするために、前記保持テープ部３２の隣り合う仕切り縁３３，３３間の部分４０が、前記テープ基材３１の表面３４で円弧状に膨出されており、該挿通部３５がトンネル状に形成されている。そして、左右の挿通部３５，３５間の部分がカーテン本体１０に対する取着部４１とされている。
【００２６】
かかる構成を有する中間の保持テープ１９の各部の寸法を図６（Ｂ）に基づいて例示すれば、前記テープ基材３１の幅Ｌ１が１５ｍｍ、前記挿通部３５の挿通方向の長さＬ２が４ｍｍ、該挿通部３５のテープ長さ方向の幅Ｌ３が７ｍｍ、該挿通部３５のトンネルの最大高さＬ４（図６（Ｃ））が２ｍｍ、隣り合う挿通部３５，３５間の幅（前記仕切り縁３３の幅）Ｌ５が１ｍｍ、該挿通部３５の外端３６と前記テープ基材３１の側縁３７との間の間隔Ｌ６が１ｍｍ、左右の挿通部３５，３５間の間隔Ｌ７が５ｍｍに設定されている。従って、このように寸法設定された中間の保持テープ１９にあっては、上下隣り合う挿通部３５，３５の中心軸線４２，４２間の間隔Ｌ８が８ｍｍである。
【００２７】
又前記端部の保持テープ２０、即ち、本発明に係る弾性バー保持テープ２０は、本実施例においては織物製であり、図７に示すように、カーテン外側縁４３（図５、図９）側の袋形成部分４５と該袋形成部分４５からカーテン内方（カーテンの中央方向）に向けて突出する取着部分４６とからなるテープ基材４７の該袋形成部分４５の表面４８に保持テープ部４９が、該テープ基材４７の長さ方向に延長するように重ね状態で配置されている。そして該保持テープ部４９のカーテン外側縁側の外縁部５０が前記テープ基材４７と製織により一体化されると共に、前記保持テープ部４９がその長さ方向に３〜１５ｍｍの間隔で前記テープ基材４７に製織により一体化されて仕切り縁５１が形成され、隣り合う仕切り縁５１，５１と前記外縁部５０との間で、カーテン内方に開口し且つカーテン外側縁側が閉じて袋底部（移動規制部５２）５３とされた収容袋部５５が設けられている。本実施例においては、前記弾性バー９の側端部分１６を該収容袋部５５に容易に収容させ得るように、該収容袋部５５は、その袋底部側５６を除いた部分５７で、前記保持テープ部４９が、前記袋形成部分４５の表面４８で円弧状に膨出されている。
【００２８】
かかる構成を有する端部の保持テープ２０の各部の寸法を例示すれば、前記テープ基材４７の幅Ｌ９が１５ｍｍ、前記収容袋部５５の深さＬ１０が１２ｍｍ、該収容袋部５５のテープ長さ方向の幅Ｌ１１が７ｍｍ、該収容袋部５５の最大高さＬ１２が２ｍｍ、隣り合う収容袋部５５，５５間の幅（前記仕切り縁５１の幅）Ｌ１３が１ｍｍ、前記取着部分４６の幅Ｌ１４が６ｍｍに設定されている。従って、このように寸法設定された端部の保持テープ２０にあっては、上下隣り合う袋底部５５，５５の中心軸線５９，５９間の間隔Ｌ１５が８ｍｍである。
【００２９】
前記構成を有する中間の保持テープ１９を前記カーテン本体１０の後面１１に取着するに際しては図５、図８（Ａ）に示すように、前記テープ基材４７の裏面６０を、該カーテン本体１０の後面１１の幅方向の両側部分１２ａ，１２ａと中央部分１２ｂにおいて該テープ基材４７を上下方向にして当接状態とし、前記取着部４１を、その長手中央線に沿ってカーテン本体１０に縫着５８する。これにより図８（Ｂ）に示すように、カーテン本体１０の前面６１に１本の縫目列６２を生じさせるだけで、該中間の保持テープ１９がカーテン本体１０の後面１１に取着される。この取着により、前記挿通部３５が上下方向に８ｍｍ間隔で並設されることになる。
【００３０】
又前記構成の端部の保持テープ２０を前記カーテン本体１０の後面１１に取着するに際しては、図５、図９に示すように、前記テープ基材４７の裏面６３を、前記カーテン本体の後面１１の左右の外側縁部分１５，１５において、該テープ基材４７を上下方向にして当接状態とする。この際、前記袋形成部分４５の外縁６５を前記カーテン外側縁４３に合致させてもよいのであるが、本実施例においては、前記袋形成部分４５の外縁６５がカーテン外側縁４３よりも５ｍｍ程度内方（カーテンの中央方向）に退いた状態としている。そしてこの状態で、前記取着部分４６がその長手中央線に沿ってカーテン本体１０に縫着５８されることにより、該取着部分４６が前記カーテン本体１０の後面１１に取着される。この取着により、前記収容袋部５５が上下方向に８ｍｍ間隔で並設されることになる。そして、前記袋形成部分４５の外縁６５から突出した部分（５ｍｍ幅の部分）はカバー部６６となる。このカバー部６６の幅Ｌ１６は、後述の膨らみ変形した部分７９（図１４）を覆い隠すことができる限り、より小さく設定されることもある。
【００３１】
このようにして中間の保持テープ１９，１９，１９と端部の保持テープ２０，２０をカーテン本体１０に取着することにより、前記引き上げ対応型カーテン６が構成される。該引き上げ対応型カーテン６を用いて前記引き上げ式カーテン１を構成するには、図１０〜１１に示すように、前記のように取着された３本の中間の保持テープ１９，１９，１９に、その下端寄りの部位（例えばカーテン本体１０の下端６４から１２ｃｍ程度上に位置する部位）の同高さ位置において、リング状部材６７が、そのフック６９を前記挿通部３５に掛着することにより取り付けられる。又、該３本の中間の保持テープ１９，１９，１９の夫々には、このように取着されたリング状部材６７，６７，６７を基端として上方に向け所要間隔で複数段に（例えば１５〜４０ｃｍ程度の間隔で略同高さ位置において、本実施例においては２４ｃｍ程度の間隔で３段に）、前記と同様構成のリング状部材６７が、そのフック６９を前記挿通部３５に掛着させることによって取り付けられる。上３段のリング状部材６７，６７，６７は、夫々、前記昇降コード３を挿通させるためのコード挿通部７０を構成する。
【００３２】
そして、前記最下段のリング状部材６７ａ，６７ａ，６７ａの、例えば直下に位置する挿通部３５ａ，３５ａ、３５ａ，３５ａ、３５ａ，３５ａに、図１１に示すように、前記弾性バー（例えば直径が３ｍｍ程度）９が稍窮屈な状態で挿通される。この挿通は、各挿通部３５ａが前記のようにトンネル状に拡大している（入口部分７１（図６（Ｄ））が拡大している）ために容易に行うことができる。又本実施例においては、前記中間の保持テープ１９を構成する前記テープ基材３１の両端部分が案内片部３９，３９（図６（Ｂ））となっているために、弾性バー９を左右の挿通部３５，３５に挿通させる際、該案内片部３９及び前記取着部４１が該弾性バー９の先端の案内として機能する。そのため、該弾性バー９を左右の挿通部３５，３５に引っ掛かりなく挿通させやすい。このようにして弾性バー９が挿通部３５に挿通した状態で、該挿通部３５は図１２に示すように稍拡大し、この拡大状態で、前記テープ基材３１は図１２に符号７３で示すように、その裏面側に稍膨らむ。
【００３３】
このように挿通された弾性バー９は水平状態を呈し、図１１、図１４に示すように、その左右の側端部分１６，１６が前記左右の収容袋部５５，５５に稍窮屈な状態で収容される。このときに選択される左右の収容袋部５５ａ，５５ａは、該水平状態を呈する弾性バー９の略延長線上にあるものである。該収容袋部５５ａ内への側端部分１６の収容は、前記保持テープ部４９の円弧状の膨出によって収容袋部５５が拡大している（開口端７５（図７）が拡大している）ために比較的容易に行うことができる。又本実施例においては、前記取着部分４６が前記袋形成部分４５からカーテン内方に向けて突出されているため、弾性バーの側端部分１６を収容袋部５５に収容する際、該取着部分４６が該弾性バー９の先端７２の案内として機能する。そのため、該側端部分１６を収容袋部５５に引っ掛かりなく収容させやすい。弾性バー９が収容袋部５５ａに収容された状態で、該収容袋部５５ａは図１３に示すように稍拡大し、この拡大状態で、前記テープ基材４７は、図１３に符号７６で示すようにその裏面側に稍膨らむ。
【００３４】
本実施例においては、前記挿通部３５及び収容袋部５５が、前記のように上下方向に８ｍｍの小間隔で並設されているため、該弾性バー９を各挿通部３５ａ，３５ａ、３５ａ，３５ａ、３５ａ，３５ａに挿通させ、且つ、前記左右の側端部分１６，１６を左右対向する収容袋部５５ａ，５５ａ（図１１、図１３）に収容した状態で、弾性バー９が水平状態を呈し得るのである。
【００３５】
ここで弾性バー９の全長は、対向する左右の収容袋部５５ａ，５５ａの袋底部５３，５３間の長さよりも稍長く（本実施例においては５ｍｍ程度長く）設定されているため、該弾性バー９の左右の側端部分１６，１６を該左右の収容袋部５５ａ，５５ａに収容した状態で、該左右の側端部分１６，１６の外端７７，７７が、図１４に示すように、前記左右の袋底部５３，５３を外方に弾性的に押圧した状態となり、該袋底部５３，５３が、外方に稍膨らみ変形する。
【００３６】
これによりカーテン本体１０が、図１４に示すように、該弾性バー９の弾性突っ張り作用によって水平方向で張った状態（テンションが付与された状態）になる。このように張った状態においては、前記のように袋底部５３，５３が外方に稍膨らみ変形するのであるが、この膨らみ変形した部分７９，７９は精々２．５ｍｍ程度と小さいものであるため、これは前記カバー部６６，６６で覆い隠された状態になる。従って、該膨らみ変形した部分７９，７９はカーテン本体１０の前面６１側からは見えない。
【００３７】
又本実施例においては、前記のように、端部の保持テープ２０を、収容袋部５５が設けられていない前記取着部分４６でカーテン本体１０に縫着しているため、図１３、図１５に示すように、該収容袋部５５はカーテン本体１０から遊離している。従って、収容袋部５５を構成する前記テープ基材４７が図１３に示すようにその裏面側に膨らんだ状態になっても、この膨らんだ部分７６がカーテン本体１０の前面６１を目立つ状態に膨らみ変形させることがなく、カーテン本体１０の前面６１が自然な外観を呈する。
【００３８】
もしも図１６に示すように、端部の保持テープ２０を、前記袋形成部分４５の外縁８１においてもカーテン本体１０に縫着５８したとすれば（本発明は、このような態様も含むものではある）、前記膨らんだ部分７６がカーテン本体１０を局部的に押圧して、図１７に示すようにカーテン本体１０の前面６１に明瞭な膨らみ変形８２を生じさせる結果、カーテン本体１０の前面６１側の外観が損なわれることになって好ましくない。又、前記袋形成部分４５がその外縁８１においてもカーテン本体１０に縫着されていると、弾性バー９の側端部分１６の外端７７が袋底部５３を外方に弾性的に押圧したときに、該袋底部５３が前記のように膨らみ変形するだけではすまず、図１６に符号８３で示すように、カーテン外縁部分４４が外方に無理矢理変形せしめられることになり、カーテン本体１０が不自然に変形してしまう問題がある他、カーテン本体１０が薄地のものであると、該カーテン本体１０が損傷される恐れもあって好ましくない。
【００３９】
なお本実施例においては、前記のように、前記中間の保持テープ１９を前記カーテン本体１０に取着する際、左右の挿通部３５，３５間をなす前記取着部４１においてカーテン本体１０に縫着する構成を採用しているため、該挿通部３５，３５はカーテン本体１０から遊離している。従って、前記挿通部３５を構成する前記テープ基材３１が図１２に示すようにその裏面側に膨らんだ状態になっても、この膨らんだ部分７３，７３がカーテン本体１０の前面６１を目立つ状態に膨らみ変形させることがなく、カーテン本体１０の前面６１が自然な外観を呈する。
【００４０】
そして、下から２段目のリング状部材６７ｂ，６７ｂ，６７ｂの直下に位置する略同高さの挿通部３５ｂ，３５ｂ、３５ｂ，３５ｂ、３５ｂ，３５ｂにも、図１０、図１８に示すように、前記と同様にして弾性バー９が水平状態に挿通せしめられると共に、該弾性バー９の左右の側端部分１６，１６が、左右対向する収容袋部５５ｂ，５５ｂに収容されている。
【００４１】
同様にして、下から３段目、４段目のリング状部材６７，６７，６７の直下に位置する挿通部３５，３５、３５，３５、３５，３５にも、前記と同様にして弾性バー９が水平状態に挿通せしめられると共に、該弾性バー９の左右の側端部分１６，１６が、左右対向する収容袋部５５，５５に収容されている。
【００４２】
更に図１０、図１９に示すように、上下隣り合うリング状部材６７，６７間の中央部分に存する略同高さの挿通部３５ｃ，３５ｃ、３５ｃ，３５ｃ、３５ｃ，３５ｃにも、前記と同様にして弾性バー９が水平状態に挿通せしめられ、該弾性バー９の左右の側端部分１６，１６が、前記と同様にして左右対向する収容袋部５５ｃ，５５ｃに収容されている。加えて図１０、図２０に示すように、カーテン本体１０の上端寄りに存する略同高さの挿通部３５ｄ，３５ｄ、３５ｄ，３５ｄ、３５ｄ，３５ｄにも前記弾性バー９が水平状態に挿通せしめられ、該弾性バー９の左右の側端部分１６，１６が、左右対向する収容袋部５５ｄ，５５ｄに収容されている。
【００４３】
引き上げ対応型カーテン６にリング状部材６７と弾性バー９を装着して構成された前記引き上げ式カーテン１を用いて前記引き上げ式カーテン装置２を構成するには、例えば図１〜４に示すように、窓開口部の上縁に沿って付設された例えばボックス状の支持バー８５の室内側の面部に面状ファスナ８６を設けると共に、該支持バー８５の一端にロック具８７を固定し、該ロック具８７の固定側から支持バー８５の反対側に向けて所要間隔でコード案内部８９を設ける。本実施例において該コード案内部８９は、前記カーテン本体１０に上下方向で取着されている３本の中間の保持テープ１９，１９，１９の配置に合わせて、前記支持バー８５の両端側と中央部分の３箇所に設ける。そして前記引き上げ式カーテン１は、その上端縁に設けられている前記面状ファスナ２７を前記支持バー８５に設けられている前記面状ファスナ８６に係着させることにより、該引き上げ式カーテン１が支持バー８５に吊下状態とされる。又、前記３個のコード案内部８９，８９，８９の数に相当する３本の昇降コード３，３，３の束９０を前記ロック具８７に通すと共に、図４に示すように、各昇降コード３，３，３を前記コード案内部８９，８９，８９毎に垂らし、該垂らした昇降コード３を、各中間の保持テープ１９に掛着されている前記リング状部材６７，６７，６７のコード挿通部７０，７０，７０に順次挿通せしめ、図２１に示すように、該昇降コード３の下端９１を、前記最下端のリング状部材６７ａに掛着された取付片９２に連結することにより、該下端９１をカーテン本体１０の下端側に固定状態とする。これにより、前記引き上げ式カーテン１を用いた引き上げ式カーテン装置２が構成されることになる。
【００４４】
かかる構成を有する引き上げ式カーテン装置２において、前記ロック具８７に挿通した昇降コード３，３，３の束９０を下方に引くことにより、前記引き上げ式カーテン１を、図２〜３、図２２に示すように、ひだ状折り返し部５が積み重なる状態に引き上げることができ、所要の引き上げ状態で、前記ロック具８７の係止作用によって前記昇降コード３をロックすることにより、引き上げ式カーテン１をその引き上げ状態で保持できる。
【００４５】
このようにカーテンを引き上げた状態において、前記のように配設された弾性バー９が、前記ひだ状折り返し部５の直線性を確保するために寄与する。これをより具体的に説明すれば、弾性バー９の夫々が配設されている部分で、該弾性バー９の弾性突っ張り作用によって前記カーテン本体１０が水平方向で張った状態とされる。然して、カーテン本体１０が引き上げられた状態においては、図２〜３、図２２に示すように、前記コード挿通部７０の直下に位置する弾性バー９が、引き上げによって形成された前記ひだ状折り返し部５の上縁部分９３に位置し、該上縁部分９３が、弾性バー９の弾性突っ張り作用によって水平方向で張った状態にある。従って、カーテン幅方向で隣り合うコード挿通部７０，７０間の部分に、従来の引き上げ式カーテンに関連して説明した図３３〜３４に示すような弛みｓやしわｔや、図３７に示すような弛みｈ１やしわｊ１が発生することがなく、該上縁部分９３の直線性を確保できるのである。そして本実施例においては、上下隣り合うコード挿通部７０，７０間の中央部分においても弾性バー９を配設しているため、該弾性バー９が前記ひだ状折り返し部５の下端部分９５のウエイトとなる。然も該弾性バー９が、該下端部分９５を水平方向で張った状態としていることから、ひだ状折り返し部５の下端部分９５に弛みやしわが発生することなく、図３に示すように、該下端部分９５の直線性も確保される。かかることから、ひだ状折り返し部５は見栄えよく自然なカーブで湾曲して垂れ下がった状態となる。本実施例においては１２ｃｍ程度垂れ下がる。
【００４６】
そして前記のように、外方に膨らみ変形した前記袋底部５３がカーテン外側縁４３，４３から突出しないために、カーテン本体１０の前側からは該弾性バー９の全体がカーテン本体１０に被い隠された状態になり（図１４）、引き上げ式カーテン１の前面側からする外観が弾性バー９によって損なわれる恐れがない。然も本実施例においては、端部の保持テープ２０に設けられている収容袋部５５をカーテン本体１０に対して遊離状態にすると共に、前記中間の保持テープ１９の両側に設けられている挿通部３５，３５もカーテン本体１０に対して遊離状態としている。そのため、弾性バー９の側端部分１６を収容袋部５５に収容した状態で該収容袋部５５が図１３に示すように膨れた状態となり、又、挿通部３５に弾性バー９を挿通した状態で該挿通部３５が図１２に示すように膨れた状態になっても、これらがカーテン本体１０を目立つ状態に膨らみ変形させることがないので、膨らんだ状態の収容袋部５５や挿通部３５が、引き上げ式カーテン１の前面側からする外観を損なう恐れがない。
【００４７】
かかる構成を有する引き上げ式カーテン１は、前記弾性バー９が着脱可能であるため、該カーテンを洗濯する際は該弾性バー９を取り外すことができる。
【００４８】
本実施例においては、図１、図１０、図１１、図１８に示すように、各リング状部材６７の直下に位置する挿通部３５，３５に前記弾性バー９を挿通しているため、直線状を呈するひだ状折り返し部５をより綺麗に形成できる利点がある。例えば図２３に示すように、各リング状部材６７の直上に位置する挿通部３５，３５に前記弾性バー９を挿通したときは、昇降コード３の引き上げによってリング状部材６７が上昇したとき、該弾性バー９の弾性突っ張り作用が該リング状部材６７の下側部分にはそれほど及ばない場合が生じ、引き上げられた該リング状部材６７の下側の両側カーテン部分９６，９６が自重で弛んだ状態となって八の字状にしわ９７が発生する場合がある。特に、カーテン本体１０が剛性の弱い薄地の場合は、このようなしわが発生しやすい。これに対して図２、図１０に示すように、各リング状部材６７の直下に位置する挿通部３５，３５に前記弾性バー９を挿通したときは、該弾性バー９の弾性突っ張り作用によって、該リング状部材６７の下側部分９４（図２）でカーテン本体１０が幅方向に張った状態となる。従って、前記のように八の字状にしわが発生せず、且つ、該リング状部材６７の取り付け高さ位置でカーテン本体１０が逆Ｕ字状９８に綺麗に屈曲するため、ひだ状折り返し部５がより綺麗に形成されるのである。
【実施例２】
【００４９】
(1) 本発明に係る弾性バー保持テープＡは、前記のように織物製とされることの他、編物製とされることもある。この場合は、編物製のテープ基材４７の、前記と同様の袋形成部分４５の表面に、編物製の保持テープ部３２が、該テープ基材４７の長さ方向に延長するように重ね状態で配置される。そして、該保持テープ部３２のカーテン外側縁側の外縁部５０が前記テープ基材４７と編成により一体化されると共に、該保持テープ部３２が、その長さ方向に３〜１５ｍｍの間隔で該テープ基材４７に編成により一体化されて前記と同様の仕切り縁５１が形成され、隣り合う仕切り縁５１，５１と前記外縁部５０との間で、前記と同様の収容袋部５５が形成される。
【００５０】
又、本発明に係る弾性バー保持テープＡは、織物製テープや編物製テープ、樹脂製テープ等の可撓性素材からなるテープを用いたテープ基材４７と保持テープ部３２とを用いて構成されることもある。この場合は、該テープ基材４７の、前記と同様の袋形成部分４５の表面に、該保持テープ部３２が該テープ基材４７の長さ方向に延長するように重ね状態で配置される。そして、該保持テープ部３２のカーテン外側縁側の外縁部５０が前記テープ基材４７と溶着や縫着等の一体化手段で一体化されると共に、該保持テープ部３２が、その長さ方向に３〜１５ｍｍの間隔で該テープ基材４７に溶着や縫着等の一体化手段により一体化されて仕切り縁５１が形成され、隣り合う仕切り縁５１，５１と前記外縁部５０との間で、前記と同様の収容袋部５５が形成される。
【００５１】
(2) 本発明に係る引き上げ式カーテン用の弾性バー保持テープは、前記収容袋部５５がテープ基材の長さ方向に連続して設けられているため、前記実施例で示したものの他、次のように使用することもできる。
【００５２】
即ち、前記引き上げ式カーテン１において、前記弾性バー９を配設する部位は、該引き上げ式カーテン１を引き上げたときに形成されるひだ状折り返し部５の直線性を良好に確保する上からは、コード挿通部７０と同高さ或いはその直上や直下等に設定することに加えて、上下のコード挿通部間の中央部分にも設定するのが好ましいが、形成されたひだ状折り返し部５の直線性の確保にそれほど支障がない場合は、該中央部分に弾性バーを配設しないこともある。
【００５３】
又、前記引き上げ式カーテン１の引き上げ状態のカーテンデザインについては、カーテン本体１０の下側部分のみや中間部分のみ或いは上側部分のみにおいては、ひだ状折り返し部の直線性を確保したいが、その他の部分では弛みやしわを生じさせたい場合もある。このような場合は、ひだ状折り返し部の直線性を確保したい部分にだけ弾性バー９を配設し、その他の部分には弾性バー９を配設しないこともある。
【００５４】
又、例えばカーテン本体１０の一部分に孔明きの装飾部９９や特定柄の装飾部９９を設けたとき、カーテン本体１０を引き上げた状態においてもこれらの装飾部９９に弛みやしわを発生させたくない場合がある。このような場合は例えば図２４に示すように、かかる装飾部９９の上下に弾性バー９，９を配置することにより、該上下の弾性バー９，９間を張った状態にできるため、これらの装飾部９９の形状や柄の形態を明瞭に保つことが可能となる。
【００５５】
要するに前記弾性バー９は、カーテン本体１０の前面に弛みやしわを発生させたくない部分を選択して所要に配設するのであるが、端部保持部１７を構成する端部の保持テープ２０としての、本発明に係る弾性バー保持テープは、収容袋部５５がテープ基材の長さ方向に連続して設けられているため、選択された所要の収容袋部に弾性バー９の側端部分１６を収容することによって、該弾性バーを所要に配置できる。
【００５６】
(3) 前記端部の保持テープ２０や前記中間の保持テープ１９は、前記のように縫着によってカーテン本体１０に取着されることの他、溶着等の手段でカーテン本体１０に取着されてもよい。該溶着の手段は、光を透過させる縫い目を生じさせないために遮光カーテンに対して好適である。
【００５７】
(4) 前記弾性バー９の側端部分１６を収容袋部５５に収容するのを容易とするために該収容袋部５５を拡大させる場合は、開口端だけを拡大させてもよい。又、前記弾性バー９を挿通部３５に挿入するのを容易とするために該挿通部３５を拡大させる場合は、該挿通部３５の入口部分７１だけを拡大させてもよい。
【００５８】
(5) 図２５〜２６は、前記端部の保持テープ２０と前記中間の保持テープ１９の他の態様を示すものであり、収容袋部５５及び挿通部３５が偏平に形成されている。図２７〜２８は弾性バー９の中間部１０８を、前記偏平な挿通部３５を拡げて該挿通部３５に挿通させると共に、該弾性バー９の左右の側端部分１６，１６を、偏平な前記収容袋部５５を拡げて該収容袋部５５に収容した状態を示している。
【００５９】
このように構成した場合は、該挿通部３５や収容袋部５５が図６、図７に示すように拡大されている場合に比し、該挿通部３５に前記弾性バー９を挿通させにくく、又、該収容袋部５５に前記弾性バー９の側端部分１６を収容させにくい。
【００６０】
加えて、このように挿通させ又は収容させた状態で、図２９、図３０に示すように、挿通部３５が前記テープ基材３１をその裏面側により大きく膨らませることになり、又、該収容袋部５５が前記テープ基材４７をその裏面側により大きく膨らませることになる。この場合、図２６に示すように、中間の保持テープ１９を、左右の挿通部３５，３５間に存する取着部４１でカーテン本体１０に縫着５８等で取着し、又、端部の保持テープ２０を、前記と同様構成の取着部分４６でカーテン本体１０に縫着等で取着するときは、左右の挿通部３５，３５がカーテン本体１０から遊離状態になると共に、収容袋部５５がカーテン本体１０から遊離状態となる。従って、前記と同様に、前記挿通部３５を構成する前記テープ基材３１がその裏面側に膨らんだ状態となったり、前記収容袋部５５を構成する前記テープ基材４７がその裏面側に膨らんだ状態になっても、図２９、図３０に示すように、この膨らんだ部分がカーテン本体１０の前面６１を目立つ状態に膨らみ変形させることがなく、該前面６１が自然な外観を呈する。
【００６１】
(6) 図３１は、前記引き上げ式カーテン１のその他の態様を示すものであり、弾性バー９の左右の側端部分１６，１６を、例えば端部の保持テープ２０を以ってなる端部保持部１７，１７に保持させ、該弾性バー９の中間部１０８は何ら保持されていない。例えばカーテン本体１０の幅寸法が小さい場合は、このように構成してもよい。
【図面の簡単な説明】
【００６２】
【図１】引き上げ式カーテン装置を示す斜視図である。
【図２】その引き上げ状態を後側から見た斜視図である。
【図３】その引き上げ状態を前側から見た斜視図である。
【図４】引き上け式カーテン装置を示す正面図である。
【図５】引き上げ対応型カーテンを示す斜視図である。
【図６】中間の保持テープを示す斜視図と正面図と断面図である。
【図７】端部の保持テープを示す斜視図と正面図と断面図である。
【図８】中間の保持テープをカーテン本体に縫着した状態を示す斜視図である。
【図９】端部の保持テープをカーテン本体に縫着した状態を示す斜視図である。
【図１０】引き上げ式カーテンを示す斜視図である。
【図１１】その下側部分を拡大して示す斜視図である。
【図１２】弾性バーが挿通された挿通部の拡大状態を、これに伴うカーテン本体の変形状態と共に示す断面図である。
【図１３】弾性バーの側端部分が収容されて収容袋部が拡大した状態を、これに伴うカーテン本体の変形状態と共に示す断面図である。
【図１４】弾性バーの弾性突っ張り作用によってカーテン本体が水平方向で張った状態を示す説明図である。
【図１５】弾性バーを挿通部に挿通させ且つ弾性バーの側端部分を収容袋部に収容した状態を示す断面図である。
【図１６】端部の保持テープをその両側縁でカーテン本体に縫着し、弾性バーの側端部分を収容袋部に収容した状態を示す断面図である。
【図１７】その場合における収容袋部の拡大状態を、これに伴うカーテン本体の変形状態と共に示す説明図である。
【図１８】弾性バーを、リング状部材の直下においてカーテン本体に配設した状態を示す斜視図である。
【図１９】弾性バーを、上下のリング状部材間の中央部分でカーテン本体に配設した状態を示す斜視図である。
【図２０】弾性バーを、カーテン本体の上端寄りにおいてカーテン本体に配設した状態を示す斜視図である。
【図２１】昇降コードの下端をカーテン本体の下端側に固定した状態を示す斜視図である。
【図２２】カーテン引き上げ状態を示す側面図である。
【図２３】リング状部材の直上に位置させて弾性バーを配設した引き上げ式カーテン装置の引き上げ状態を示す斜視図である。
【図２４】カーテン本体に設けた孔明き装飾部の上下に弾性バーを配設した状態を示す部分斜視図である。
【図２５】端部の保持テープのその他の態様と、中間の保持テープのその他の態様を、これらをカーテン本体に取着した状態で示す斜視図である。
【図２６】その部分拡大図である。
【図２７】端部の保持テープと中間の保持テープをカーテン本体に取着し、これらに弾性バーを装着した状態を示す斜視図である。
【図２８】その部分拡大図である。
【図２９】その中間の保持テープの挿通部に弾性バーを挿入することにより拡大状態となった挿通部をカーテン本体の変形状態と共に示す断面図である。
【図３０】弾性バーの側端部分を収容袋部に収容して拡大状態となった挿通部を、カーテン本体の変形状態と共に示す断面図である。
【図３１】弾性バーを左右の側端部分でのみ端部の保持テープで保持して構成された引き上げ式カーテンを説明する説明図である。
【図３２】従来の引き上げ式カーテン装置を説明する正面図である。
【図３３】そのカーテン引き上げ状態を後側から見た説明図である。
【図３４】そのカーテン引き上げ状態を前側から見た説明図である。
【図３５】従来の引き上げ式カーテン装置を説明する部分斜視図である。
【図３６】従来の引き上げ式カーテン装置を後側から見た説明図である。
【図３７】その引き上げ式カーテン装置の問題点を説明する説明図である。
【符号の説明】
【００６３】
１  引き上げ式カーテン
２  引き上げ式カーテン装置
３  昇降コード
５  ひだ状折り返し部
６  引き上げ対応型カーテン
７  後面
９  弾性バー
１０  カーテン本体
１１  後面
１２  中間部分
１３  中間保持部
１５  カーテン本体の外側縁部分
１６  弾性バーの側端部分
１７  端部保持部
１９  中間の保持テープ
２０  端部の保持テープ
２５  ウエイトバー
３１  テープ基材
３２  保持テープ部
３３  仕切り縁
３５  挿通部
３６  挿通部の外端
３７  テープ基材の側縁
３９  案内片部
４１  取着部
４５  袋形成部分
４６  取着部分
４７  テープ基材
４９  保持テープ部
５１  仕切り縁
５３  袋底部
５５  収容袋部
６７  リング状部材
６９  フック
７０  コード挿通部
７１  入り口部分
７２  弾性バーの先端
７５  開口端
８５  支持バー
８７  ロック具
８９  コード案内部
Ａ  弾性バー保持テープ
【図１】
0004659561.tif 000002
【図２】
0004659561.tif 000003
【図３】
0004659561.tif 000004
【図４】
0004659561.tif 000005
【図５】
0004659561.tif 000006
【図６】
0004659561.tif 000007
【図７】
0004659561.tif 000008
【図８】
0004659561.tif 000009
【図９】
0004659561.tif 000010
【図１０】
0004659561.tif 000011
【図１１】
0004659561.tif 000012
【図１２】
0004659561.tif 000013
【図１３】
0004659561.tif 000014
【図１４】
0004659561.tif 000015
【図１５】
0004659561.tif 000016
【図１６】
0004659561.tif 000017
【図１７】
0004659561.tif 000018
【図１８】
0004659561.tif 000019
【図１９】
0004659561.tif 000020
【図２０】
0004659561.tif 000021
【図２１】
0004659561.tif 000022
【図２２】
0004659561.tif 000023
【図２３】
0004659561.tif 000024
【図２４】
0004659561.tif 000025
【図２５】
0004659561.tif 000026
【図２６】
0004659561.tif 000027
【図２７】
0004659561.tif 000028
【図２８】
0004659561.tif 000029
【図２９】
0004659561.tif 000030
【図３０】
0004659561.tif 000031
【図３１】
0004659561.tif 000032
【図３２】
0004659561.tif 000033
【図３３】
0004659561.tif 000034
【図３４】
0004659561.tif 000035
【図３５】
0004659561.tif 000036
【図３６】
0004659561.tif 000037
【図３７】
0004659561.tif 000038